(57)【要約】各ゴルフクラブが所定の位置に保持され、所望のゴルフクラブを一目で取り出せると共に、安定して保持されることで損傷が防止されるゴルフバッグを提供するために、ゴルフクラブを収納する縦長のバッグにおいて、その縦長バッグの略上端から略下端まで上下方向に設けられ剛性を有して形状の維持された開口部と、ゴルフクラブを保持して収容するゴルフクラブ保持手段と、開口部近傍に設けられ蓋体の着脱に寄する接合手段とを備えた本体と、その本体の開口部に呼応した形状であり剛性を有してその形状の維持された開口部と、本体の接合手段に呼応して着脱に寄する接合手段とを備えて本体を閉蓋する蓋体とを設ける。
2004096380.tif 000002
【特許請求の範囲】
【請求項１】
ゴルフクラブを収納する縦長のバッグであって、
その縦長バッグの略上端から略下端まで上下方向に設けられ剛性を有して形状の維持された開口部と、ゴルフクラブを保持して収容するゴルフクラブ保持手段と、開口部近傍に設けられ蓋体の着脱に寄する接合手段とを備えた本体と、
その本体の開口部に呼応した形状であり剛性を有してその形状の維持された開口部と、本体の接合手段に呼応して着脱に寄する接合手段とを備えて本体を閉蓋する蓋体と
を有することを特徴とするゴルフバッグ。
【請求項２】
ウッド類のヘッド近傍シャフトを挿し込んでそのヘッドを支持する切欠部を備えた板状体を、ゴルフクラブ保持手段として本体の上部に設けた請求の範囲第１項に記載のゴルフバッグ。
【請求項３】
切欠部を複数有する板状体を、複数段設けた請求の範囲第２項に記載のゴルフバッグ。
【請求項４】
ウッド類のシャフトを挿通して保持する筒状体を設けた請求の範囲第１項乃至第３項に記載のゴルフバッグ。
【請求項５】
アイアン類のヘッド近傍シャフトを挿し込んでそのヘッドを支持する切欠部を備えた板状体を、ゴルフクラブ保持手段としてウッド類用の板状体の下部に設けた請求の範囲第２項乃至第４項に記載のゴルフバッグ。
【請求項６】
アイアン類のグリップ近傍シャフトを挿し込んで嵌合支持する切欠部を備えた板状体を、ゴルフクラブ保持手段として本体の下部に設けた請求の範囲第１項乃至第５項に記載のゴルフバッグ。
【請求項７】
アイアン類のヘッドを一つづつ独立して保持する凹凸を、ゴルフクラブ保持手段として本体の底部に設けた請求の範囲第１項乃至第４項に記載のゴルフバッグ。
【請求項８】
ウッド類のヘッド近傍シャフトを挿し込んでそのヘッドを支持する挿通孔と、アイアン類のヘッド近傍シャフトを挿し込んでそのヘッドを支持する切欠部とを備えた板状体を、ゴルフクラブ保持手段として、本体の上部に、蓋体の形状に沿って傾斜させて設けた請求の範囲第１項に記載のゴルフバッグ。
【発明の詳細な説明】
【技術分野】  本発明は、多数のゴルフクラブを利便性高く収納するゴルフバッグ（英語では「キャディバッグ」という）に関する。
【背景技術】  従来から、複数本のゴルフクラブをまとめて収納するバッグが知られている。
そのようなゴルフバッグとしては、実開昭５８−５４８６４号、実開平４−１３１２６３号、実開平６−１７７６２号、実開平１１−４９２３号、特願２００２−８５６０９号、特願２００２−１７７４２７号、特願２００２−２４８１８５号等に開示されている。
これらには、ゴルフクラブの使用時にバッグの開口を大きくして、ゴルフクラブの出し入れを容易にしたり、シャフトを１本づつ独立して保持する部材を有するバッグを開示するものがある。
しかし、バッグの開口は、縦長のバッグの上端部の小さな面積に限られるか、または、バッグの上端から下方に向かって開口するとしてもチャック類によるので開口形態が不安定であった。
また、開口部に設けられる蓋体を分離して使用する形態のものもなかった。
更に、シャフトを１本づつ独立して保持するとしても、十分に離隔して安定して保持されているとは言い難く、運搬時に、ある程度規則正しく並べられた状態で収納されていた各ゴルフクラブの位置がずれたり、ヘッドやシャフト同士が衝突したりする危惧があった。
そこで、本発明は、各ゴルフクラブが所定の位置に保持され、所望のゴルフクラブを一目で取り出せると共に、安定して保持されることで損傷が防止されるゴルフバッグを提供することを課題とする。
【発明の開示】
本発明は、上記課題を解決するために、本発明に係るゴルフバッグは次の構成を備える。
すなわち、ゴルフクラブを収納する縦長のバッグにおいて、その縦長バッグの略上端から略下端まで上下方向に設けられ剛性を有して形状の維持された開口部と、ゴルフクラブを保持して収容するゴルフクラブ保持手段と、開口部近傍に設けられ蓋体の着脱に奇する接合手段とを備えた本体と、その本体の開口部に呼応した形状であり剛性を有してその形状の維持された開口部と、本体の接合手段に呼応して着脱に寄する接合手段とを備えて本体を閉蓋する蓋体とを設けたことを特徴とする。
ここで、ウッド類のヘッド近傍シャフトを挿し込んでそのヘッドを支持する切欠部を備えた板状体を、ゴルフクラブ保持手段として本体の上部に設けて、ウッド類の安定保持に寄与させてもよい。
その切欠部を複数有する板状体を複数段設けて、多数本のウッド類に対応させてもよい。
ウッド類のシャフトを挿通して保持する筒状体を設けて、保持と保護に寄与させてもよい。
アイアン類のヘッド近傍シャフトを挿し込んでそのヘッドを支持する切欠部を備えた板状体を、ゴルフクラブ保持手段としてウッド類用の板状体の下部に設けて、アイアン類の安定保持に寄与させてもよい。
アイアン類のグリップ近傍シャフトを挿し込んで嵌合支持する切欠部を備えた板状体を、ゴルフクラブ保持手段として本体の下部に設けて、保持と保護に寄与させてもよい。
アイアン類のヘッドを一つづつ独立して保持する凹凸を、ゴルフクラブ保持手段として本体の底部に設けて、保持と保護に寄与させてもよい。
ウッド類のヘッド近傍シャフトを挿し込んでそのヘッドを支持する挿通孔と、アイアン類のヘッド近傍シャフトを挿し込んでそのヘッドを支持する切欠部とを備えた板状体を、ゴルフクラブ保持手段として、本体の上部に、蓋体の形状に沿って傾斜させて設けて、多数本のクラブの一括管理に寄与させてもよい。
【図面の簡単な説明】  第１図は、本発明の第１実施例に係るゴルフバッグの使用形態を示す斜視図である。
第２図は、本発明の第１実施例に係るゴルフバッグの側面断面図である。
第３図は、本発明の第１実施例に係るゴルフバッグの正面断面図である。
第４図は、本発明の第１実施例に係るゴルフバッグの平面断面図である。
第５図は、本発明の第２実施例に係るゴルフバッグの側面断面図である。
第６図は、本発明の第２実施例に係るゴルフバッグの底面周辺の斜視図である。
第７図は、本発明の第２実施例に係るゴルフバッグの使用形態を示す斜視図である。
第８図は、各々、本発明の第２実施例に係るゴルフバッグの（Ａ）正面図（Ｂ）側面図（Ｃ）背面図（Ｄ）平面図（Ｅ）底面図である。
第９図は、本発明の第２実施例に係るゴルフバッグの開蓋状態の正面図である。
第１０図は、本発明の第２実施例に係るゴルフバッグの側面図である。
第１１図は、本発明の第２実施例に係るゴルフバッグの斜視図である。
【発明を実施するための最良の形態】  以下、本発明の実施形態を図面の例に基づいて説明する。
本発明は、図に示す一例の四角筒状のゴルフバッグに限らず、多角筒状や円筒状など、長尺のゴルフクラブの形状に呼応した縦長のゴルフバッグ一般に適用できる。
ここでは、全面が合成樹脂やステンレス等の軽量金属など、剛性を備え形状の維持された材質で形成されたゴルフバッグを例示するが、必ずしも全面が十分な剛性を備え形状を恒久的に維持する必要はない。
例えば、枠組みと開口部のみ、剛性を備え形状の維持された材質で形成し、他の面部は布類などで形成してもよい。
第１図は、本発明の第１実施例に係るゴルフバッグの使用形態を示す斜視図であり、第２図乃至第４図は、このゴルフバッグの側面断面図、正面断面図、平面断面図である。
本体（１０）には、略四角形の底面（１１）とその周縁から上方に延伸する側面（１２）（１３）（１４）を強固な外壁面として有する。
ひとつの側面（１２）には、把手（２０）がその支持部（２１）（２１）に対して着脱自在または収納自在に接続されている。ゴルフクラブの利用時には、後述の蓋体（５０）をこの本体（１０）から取り外すと共に、把手（２０）をその支持部（２１）から離脱させるか収納して、本体（１０）を台車類に載置して移動させる。
本体（１０）の内部には、ゴルフクラブを保持して収容するゴルフクラブ保持手段が備わる。
第２図に明示されるように、側面（１３）の上端部には、外方に突出した膨出部（１３ａ）が設けられ、ウッド類のヘッドの収容が図られている。その膨出部（１３ａ）近傍には、ウッド類のヘッドを支持する板状体（３０）（３０’）が段状に複数備わる。
板状体（３０）には、側面（１３）に対して略垂直に設けられ、ウッド類のヘッドの載置に用いられる支持板（３１）と、その支持板（３１）に設けられ、ウッド類のヘッド近傍シャフトを挿し込んでそのヘッドを支持する切欠部（３２）とが備わる。
複数の切欠部（３２）の間には、ウッド類のヘッド同士の接触を防止すると共にウッド類の出し入れに寄与する仕切板（３３）が立設している。
なお、ゴルフクラブの形状に合わせて収納しやすくするために、板状体（３０）は、側面（１３）から離れる方向に向かって若干下方に傾斜している。
また、板状体（３０）のすぐ下部に、同様の板状体（３０’）が段状に設けられているが、必ずしも複数段設置する必要はない。
また、板状体（３０）（３０’）における各切欠部（３２）近傍に、それぞれ収容される所定のウッド類の識別符号を記載しておいて、所望のウッド類をすぐに取り出せるようにしてもよい。
板状体（３０）（３０’）の下部には、各切欠部（３２）の位置に応じて、ウッド類のシャフトを挿通して保持する筒状体（３４）が設けられ、保持と保護に寄与している。
このように、ウッド類が一本づつ所定の位置に安定して保持されることで、損傷が防止されると共に、遊技時には所望のウッド類を一目で容易に取り出すことができる。
ウッド類を保持する板状体（３０）（３０’）の下部には、ウッドより短いアイアン類を保持するための板状体（４０）が同様に備わる。
板状体（４０）は、側面（１３）に対して略垂直に設けられ、アイアン類のヘッドの載置に用いられ、そこにはアイアン類のヘッド近傍シャフトを挿し込んでそのヘッドを支持する切欠部（４１）が備わる。
本体（１０）の下部には、アイアン類を保持するための板状体（４０）における各切欠部（４１）の位置に応じて、各アイアン類のグリップ近傍シャフトを挿し込んで嵌合支持する切欠部（４４）を備えた板状体（４３）が備わり、アイアン類の保持と保護に寄与している。
このような切欠部（４４）の代わりに、筒状体（３４）と同様の構成物を配設してもよい。
また、板状体（４３）の下部手前側には、更に、ボールやグラブ等を収納するポケット（４５）が備わる。
このようなゴルフクラブ保持手段を備えた本体（１０）には、その略上端から略下端まで上下方向に設けられ剛性を有して形状の維持された開口部（１０Ａ）が設けられている。開口部（１０Ａ）は、大径であり収納されているほぼ全てのゴルフクラブの正面に配置される。
側面（１２）等の開口部（１０Ａ）近傍には、凹凸嵌合体や鍵部材など従来公知の任意の接合手段（２２）が配設され、蓋体（５０）の着脱に寄与している。
蓋体（５０）には、本体（１０）の開口部（１０Ａ）に呼応した形状であり剛性を有してその形状の維持された開口部（５０Ａ）と、本体（１０）の接合手段（２２）に呼応して着脱に寄する接合手段（５１）とを備えて本体（１０）を閉蓋する。蓋体（５０）は、本体（１０）を閉蓋する機能を果たすため、その構造も本体（１０）の構造に呼応している。
すなわち、本実施例では、各側面（１２）（１４）に連続した形状の２枚の側面（５２）、側面（１３）に連続した形状の頂面（５３）、側面（５２）（５２）（５３）に連なると共に側面（１３）に対向する側面（５４）を有する。側面（１１）に連続する側面を付設してもよい。
頂面（５３）には、本体（１０）の膨出部（１３）に呼応してウッド類のヘッドを上から覆う膨出部（５３ａ）が備わる。
以上のように、本発明によるゴルフバッグは、蓋体（５０）を本体（１０）から分離でき、大きく開口できるので、遊技時には、本体（１０）のみを台車類に載置して移動させ、各ゴルフクラブの出し入れを容易かつ円滑に行える。
第５図は、本発明の第２実施例に係るゴルフバッグの側面断面図、第６図はその底面周辺の斜視図である。
本実施例では、アイアン類を、ヘッドを下方に向けて収納する形態になっている。
本体（１０）の底面には、アイアン類のヘッドを一つづつ独立して保持する凹凸が備わる。
各凹凸は、ヘッドを載置する傾斜板（１１ａ）と、隣接する傾斜板（１１ａ）（１１ａ）同士を接続すると共に段差を形成する仕切板（１１ｂ）とから構成される。このように単純な傾斜構造のみで、各アイアン類を独立支持できる。
第７図は、本発明の第２実施例に係るゴルフバッグの使用形態を示す斜視図である。
本実施例では、本体（１０）の底面には、アイアン類のヘッドまたはグリップを一つづつ独立して保持する凹凸が備わる。  各凹凸は、立設された立板（１１ｃ）と、それから枝分かれした仕切板（１１ｄ）とから構成される。
なお、ウッド類のヘッドの載置に用いられる板状体（３０）には、切欠部（３２）の代わりに図示のように、挿通孔（３５）を設けてもよい。
第８図は、本発明の第２実施例に係るゴルフバッグの（Ａ）正面図、（Ｂ）側面図、（Ｃ）背面図、（Ｄ）平面図、（Ｅ）底面図であり、第９図乃至第１１図は、それぞれ、蓋体（５０）を外しゴルフクラブを収納した状態を示す正面図、側面図、斜視図である。
本実施例では、ウッド類のヘッド近傍シャフトを挿し込んでそのヘッドを支持する挿通孔（３５）と、アイアン類のヘッド近傍シャフトを挿し込んでそのヘッドを支持する切欠部（３２）との双方が一枚の板状体（３０”）に設けられている。
本体（１０）の上部に配設されるこの板状体（３０”）は、蓋体（５０）を外した状態で手前側に向かって下方に傾斜して設置される。そのため、ここで、全てのゴルフクラブを一覧できるので、出入等の管理が便利になっている。
ここで、板状体（３０”）に多数設けられる挿通孔（３５）の形状を、円、楕円、半円、多角形など多様にして、どのゴルフクラブをどの形状の挿通孔（３５）に収納するか対応付けて、管理しやすくしてもよい。
板状体（３０”）の下部に、各ゴルフクラブのシャフトを挿通する挿通孔（４６）を備える板状体（４０’）を配備して、ゴルフクラブの安定保持に寄与させてもよい。
また、蓋体（５０）の頂面（５３）は、板状体（３０”）の傾斜姿勢に沿った形状に形成される。
本発明のゴルフバッグは、縦長のバッグの略上端から略下端まで上下方向に設けられ剛性を有して形状の維持された大径の開口部が備わり、蓋体が本体から分離可能であり、各ゴルフクラブが独立して整然と保持されるので、遊技時には、本体のみを台車類に載置して移動させ、所望のゴルフクラブを容易かつ円滑に出し入れできる。
また、大きく開口することで、空気の流通がよくなり乾燥にも寄与し、運搬時には損傷の防止も図られる。
【産業上の利用可能性】  本発明によると、遊技時には、本体のみを台車類で移動させ、所望のゴルフクラブを容易かつ円滑に出し入れできるので、従来施設をそのまま利用でき、産業上利用価値が高い。
また、大きく開口し空気の流通がよくなり乾燥にも寄与し、運搬時には損傷の防止も図られる利点もある。
【符号の説明】
１０    本体
１０Ａ  本体開口部
１１    底面
１２、１３、１４    側面
５０    蓋体
５０Ａ  蓋体開口部
５２、５４    側面
５３    頂面
【図１】
2004096380.tif 000003
【図２】
2004096380.tif 000004
【図３】
2004096380.tif 000005
【図４】
2004096380.tif 000006
【図５】
2004096380.tif 000007
【図６】
2004096380.tif 000008
【図７】
2004096380.tif 000009
【図８】
2004096380.tif 000010
【図９】
2004096380.tif 000011
【図１０】
2004096380.tif 000012
【図１１】
2004096380.tif 000013
【国際調査報告】
2004096380.tif 000014
2004096380.tif 000015
2004096380.tif 000016